(57)【要約】  【課題】照明器具の器具本体とカバーとを重ねて収納する包装装置について、緩衝体と外側包装体とにより、器具本体とカバーとを確実に位置決め保持し、構成を簡略化してコストを低減する。  【解決手段】それぞれ１枚の矩形状の段ボール紙により、緩衝体31と外側包装体32とを形成する。緩衝体31には、端部保護部35と、両側一対の側部押え部36と、内側支持部37とを形成する。側部押え部36は、器具本体11を外側から挟持して保持する。内側支持部37は、器具本体11とカバー12との間とカバー12の内側とに配置する。内側支持部37をランプソケット部23で支持する。内側支持部37により、器具本体11とカバー12との接触を防止できる。内側支持部37により、カバー12の幅方向を位置決めできる。  【選択図】図１
2006143292.tif 000002
【特許請求の範囲】
【請求項１】
基板部、この基板部の端部から立ち上げられた端板部、基板部の両側部から立ち上げられた側板部、及び基板部に設けられた支持部とを備えた照明器具の器具本体及びカバーの端部の外側に沿って配置される端部保護部と、端部保護部から器具本体の両側部の外側に沿って延設された対をなす側部押え部と、端部保護部から器具本体とカバーとの間に延設され、端板部を乗り越える乗越片、乗越片の先端側に位置し基板部に当接する当接部、及びこの当接部から延設され支持部に支持されてカバーの端部の内側に沿って配置され両側の縁部がカバーの内側の両側部に対向する対向部となる内側支持片を備えた内側支持部を備えた緩衝体と；
緩衝体、器具本体、及びカバーの外側を覆う外側包装体と；
を具備していることを特徴とする包装装置。
【発明の詳細な説明】
【技術分野】
【０００１】
本発明は、器具本体とこの器具本体に取り付けられるカバーとを備えた照明器具の包装装置に関する。
【背景技術】
【０００２】
従来、器具本体とこの器具本体に取り付けられるカバーとを備えた照明器具を保護しつつ包装する包装装置について、段ボールを折曲し、器具本体やカバーの端部を保護する緩衝体などを形成する構成が知られている（例えば、特許文献１参照。）。この特許文献１の包装装置では、照明器具は、器具本体とカバーとが組み合わされた状態で包装される。そして、緩衝体は、略角筒状に折曲した段ボールの一面に平行な複数の半カットを形成し、容易に変形可能な曲面状の変形部を形成し、この変形部をカバーの端部に当接して、カバーの端部を保護している。さらに、この包装装置では、カバーを挟持する２個の補強体を配置し、カバーなどの両側方向への移動の阻止を確実にしている。
【特許文献１】特許第３１４７１３９号公報
【発明の開示】
【発明が解決しようとする課題】
【０００３】
上記のように、器具本体とカバーとを組み合わせた状態で包装する包装装置については、輸送中の衝撃などにより、カバーに力が加わると、カバーが器具本体に押し当てられて破損するおそれがある。そこで、緩衝体に加えて複数の補強体を用い、器具本体に対してカバーが移動しないように支持する必要があり、包装部品や組立工数が増加するため、コストの低減が困難になり、また、工事現場などでの廃材の低減が容易でない問題を有している。
【０００４】
本発明は、このような点に鑑みなされたもので、簡略な構成で器具本体とカバーとを保護して包装でき、製造コストを低減できる包装装置を提供することを目的とする。
【課題を解決するための手段】
【０００５】
請求項１記載の包装装置は、基板部、この基板部の端部から立ち上げられた端板部、基板部の両側部から立ち上げられた側板部、及び基板部に固定された支持部とを備えた照明器具の器具本体及びカバーの端部の外側に沿って配置される端部保護部と、端部保護部から器具本体の両側部の外側に沿って延設された対をなす側部押え部と、端部保護部から器具本体とカバーとの間に延設され、端板部を乗り越える乗越片、乗越片の先端側に位置し基板部に当接する当接部、及びこの当接部から延設され支持部に支持されてカバーの端部の内側に沿って配置され両側の縁部がカバーの内側の両側部に対向する対向部となる内側支持片を備えた内側支持部を備えた緩衝体と；緩衝体、器具本体、及びカバーの外側を覆う外側包装体と；を具備しているものである。
【０００６】
緩衝体は、例えば１枚の段ボール紙など板材を折曲して構成される。
【０００７】
外側包装体は、例えば１枚の段ボールを折曲して構成される。
【０００８】
対向するとは、僅かな間隔を介して位置する場合と、接触する場合とを含む。
【０００９】
支持部は、例えばランプが装着されるランプソケットを備えたランプソケット部である。
【００１０】
そして、この構成では、端部保護部により照明器具の器具本体及びカバーの端部が保護され、長手方向に位置決め保持される。また、側部押え部により器具本体の両側部が押えられ、器具本体が幅方向に位置決め保持される。さらに、内側支持部により、器具本体とカバーとの当接が防止されるとともに、カバーが幅方向に位置決め保持される。緩衝体の構成は簡略であるとともに、この緩衝体でカバーを照明器具との接触を防止しつつ安定して支持し、保護した状態で包装できるため、カバーを支持する別個の部材も不要になり、コストの低減が容易になる。そして、端板部を乗り越える乗越片及びこの乗越片の先端側の当接部から延設された内側支持片により、器具本体とカバーとの端部における直接の当接が確実に防止される。さらに、内側支持部は、基板部に当接する当接部から内側支持片を延設するとともに、この内側支持片を支持部により支持するため、内側支持部の対向部が容易かつ確実に位置決めされ、カバーが容易かつ確実に支持される。
【発明の効果】
【００１１】
本発明の包装装置によれば、緩衝体でカバーと照明器具との接触を防止しつつ安定して支持し、保護した状態で包装できる。緩衝体の構成は簡略であるとともに、カバーを支持する別個の部材も不要になり、構成を簡略化でき、コストを容易に低減できる。
【発明を実施するための最良の形態】
【００１２】
以下、本発明の包装装置の一実施の形態を図面を参照して説明する。
【００１３】
図１は本発明の包装装置の一実施の形態を示す一部の説明図である。図２は同上包装装置及び照明器具の分解状態の斜視図である。図３は同上包装装置及び照明器具の包装状態の一部の断面図である。図４は同上包装装置の緩衝体の展開図である。図５は同上包装装置の外側包装体の展開図である。
【００１４】
図１ないし図３において、10は照明器具で、この照明器具10は、天井面に直付設置される直付形の施設用照明器具であり、器具本体11と、この器具本体11に取り付けられて器具本体11を覆うカバー12とを備えている。
【００１５】
そして、器具本体11は、第１の被包装物であり、例えば金属板を折曲してなり、天井面に直付設置される矩形状の基板部15と、この基板部15の長手方向の両端部から折曲して立ち上げられた一対の端板部16と、基板部15の長手方向に沿った両側部から折曲して立ち上げられた一対の側板部17とを備え、正面側すなわち天井面に取り付けた状態での下面を照射開口とする薄箱状に形成されている。また、これら端板部16及び側板部17と基板部15との内側の角部に沿って、スポンジ状など軟質のクッション材18がテープを貼り付けるなどして設けられている。そして、端板部16と側板部17とは、ねじ19などにより固定されている。このねじ19の頭部は、側板部17の外側に若干突出した状態となっている。また、基板部15の複数カ所には、Ｖばねなどの取付手段を係脱可能に取り付ける取付部20が設けられている。さらに、基板部15の両端部近傍には、端板部16から若干の間隔を介してランプソケット取付金具21が取り付けられ、各ランプソケット取付金具21に、それぞれ２個のランプソケット22が取り付けられ、これらランプソケット取付金具21及びランプソケット22により、支持部としての凸部であるランプソケット部23が構成されている。また、ランプソケット取付金具21は、例えば金属板を折曲してなり、基板部15に固定される基部21aと、この基部21aの両側部が折曲して立ち上げられた取付板部21bとを備えている。そしてランプソケット22は、各取付板部21bに取り付けられ、直管形の蛍光ランプであるランプの口金を装着するようになっている。さらに、基板部15には、点灯装置25と端子台26とが取り付けられ、これら点灯装置25、端子台26、及びランプソケット22が、配線27により互いに接続されている。また、基板部15の両端部近傍には、補強板28が取り付けられている。
【００１６】
また、カバー12は、第２の被包装物であり、制光体であるセードであって、透光性を有する乳白色の樹脂などにて一体に形成されている。そしてこのカバー12は、いわゆるＶばねなど適宜の取付手段により照射開口を覆うようにして器具本体11に取り付けられ、背面側すなわち天井面に取り付けた状態での上面を開口とする薄箱状のカバー本体部12aと、このカバー本体部12aの上縁部の長手方向の端部に沿って内側に向かい形成された端部縁部12bと、このカバー本体部12aの上縁部の長手方向に沿った側部に沿って内側に向かい形成された側部縁部12cと、端部縁部12bから上側に突設された端部脚片部12dと、側部縁部12cから上側に突設された側部脚片部12eとを備えている。また、端部縁部12bと側部縁部12cとは連続し、環状に形成されている。また、端部脚片部12dと側部脚片部12eとも連続し、角部が丸みを帯びた略角筒状に形成されている。そして、このカバー12は、器具本体11に取り付けられた状態で、端部縁部12bが器具本体11の端板部16の下端部に対向し、側部縁部12cが側板部17の下端部に対向し、端部脚片部12dの外面が端板部16の内側面に対向し、側部脚片部12eの外面が側板部17の内側面に対向するとともに、端部脚片部12d及び側部脚片部12eの先端部がクッション材18に圧接され、塵埃や虫などの侵入が抑制されている。なお、ここで、対向するとは、僅かな間隔を介して位置する場合と、接触する場合とを含むものである。
【００１７】
また、30は包装装置で、この包装装置30は、器具本体11とカバー12とを重ねた状態で包装し、すなわち保護しつつ収納するもので、一対の緩衝体31と、外側包装体32とを備えている。
【００１８】
そして、緩衝体31は、図１ないし図４に示すように、板材である１枚の矩形状の段ボール紙31aを所定の線で切断し、かつ、所定の線で折曲して構成されている。また、この緩衝体31は、段ボール紙31aの波板状のフルートである芯材Ａの頂部の線Ｂの長手方向すなわち目方向が段ボール紙の長手方向となり、図１に示すように、端部に芯材Ａの波形状が見えている。そして、この緩衝体31には、端部保護部35と、両側一対の側部押え部36と、内側支持部37とが形成されている。そして、これら端部保護部35、側部押え部36、及び内側支持部37を形成するため、緩衝体31を構成する段ボール紙31aには、図４に示すように、強度の確保のため目方向と直交する方向に、すなわち幅方向に沿った方向を長手方向として全長にわたる互いに平行に設定された第１ないし第８の折曲線41〜48と、幅方向に沿った方向を長手方向として中間部に設定された第１の切込線51と、この第１の切込線51の両端部の連続し第１の切込線51と直交する一対の第２の切込線52とが設定されている。さらに、この段ボール紙31aの両側の縁部近傍のみに、両側に対をなして第３ないし第８の切込線53〜58が形成されているとともに、隣接する第３ないし第８の切込線53〜58の端部同士をそれぞれつなぎ、段ボール紙31aの長手方向に沿って係止用折曲線59が設定されている。なお、２点鎖線で示した第５の折曲線45及び第７の折曲線47は、段ボール紙31aを切断しないように芯材Ａの一面側のみを切断したいわゆるハーフカットの加工がなされ、折曲した形状を保持しやすく形成されている。また、第２の切込線52は、所定の幅寸法Ｌを有し、すなわち、所定の幅寸法Ｌで段ボール紙31aを切り抜くように形成されている。なお、この幅寸法Ｌは、器具本体11の側板部17の厚さ寸法とほぼ等しく構成されている。そして、これら切込線及び折曲線により、この緩衝体31を構成する段ボール紙31aには、一端側から順に、第１ないし第６の片部61〜66が形成されているとともに、第５及び第６の片部65，66に囲まれかつ第１の切込線51と第２の切込線52とに囲まれた領域に、第７ないし第９の片部67〜69が形成され、さらに、第３ないし第８の切込線53〜58と係止用折曲線59とに囲まれた領域に係止片部70が形成されている。
【００１９】
そして、この段ボール紙31aは、第１ないし第４の折曲線41〜44をそれぞれ９０度の谷折りとし、第１の片部61を第５の片部65上に重ねることにより、角筒状の端部保護部35が形成される。さらに、第５の折曲線45を１８０度の山折りとし、すなわち第５の片部65に対して第６の片部66を端部保護部35の反対側に折り返すことにより、他端側に突出する一対の側部押え部36が形成される。そして、この状態で係止用折曲線59を適宜折曲することにより、互いに重ねられた３枚の係止片部70が第３ないし第８の切込線53〜58の縁部に係止され、端部保護部35と側部押え部36との形状が保持される。一方、第６及び第８の折曲線46，48は谷折り、第７の折曲線47は山折りとすることにより、図１及び図２に示すように、略Ｓ状に折曲された状態の内側支持部37が形成される。この状態で、第７及び第８の片部67，68により乗越片72が形成され、第８の折曲線48の部分が当接部73となり、第９の片部69により、内側支持片74が形成される。また、この内側支持片74の両側の縁部が、対向部75となる。この状態で、緩衝体31が完成する。
【００２０】
また、外側包装体32は、図１ないし図３及び図５に示すように、板材である１枚の矩形状の段ボール紙32aを所定の線で折曲して構成されている。また、この外側包装体32は、段ボール紙32aの波板状のフルートである芯材Ａの頂部の線Ｂの長手方向すなわち目方向が段ボール紙32aの幅方向となり、図１に示すように、側縁部に芯材Ａの波形状が見えている。そして、図５に示すように、段ボール紙32aには、強度の確保のため目方向と直交する方向に、第１ないし第４の折り線81〜84が形成され、これら第１ないし第４の折り線81〜84により、第１ないし第５の板部91〜95が区画形成されている。
【００２１】
そして、この段ボール紙32aは、第１ないし第４の折り線81〜84をそれぞれ９０度の谷折りとし、第１の板部91の外側に第５の板部95を重ねられる形状とすることにより、外側包装体32が構成されている。
【００２２】
次に、これら緩衝体31及び外側包装体32を用いた、照明器具10すなわち器具本体11とカバー12との包装の作業工程を説明する。
【００２３】
まず、図２に示すように、外側包装体32を展開した状態で載置し、第１の板部91上に器具本体11を載置するとともに、この器具本体11の両端部にそれぞれ緩衝体31を組み合わせる。緩衝体31は、側部押え部36間に器具本体11の幅方向を挟むように係合して、すなわち、各側部押え部36を側板部17の外側面に沿わせることにより、容易に所定の位置に仮保持される。さらに、このとき、各側部押え部36は、側板部17のねじ19の頭部に引っかかるようにして、位置が仮保持される。そして、この状態から、緩衝体31の内側支持部37の乗越片72が端板部16を乗り越えるようにして、内側支持片74を器具本体11の内側に配置する。この時、内側支持片74は、端板部16とランプソケット取付金具21との間に位置し、さらに、ランプソケット取付金具21に支えられて、ほぼ立ったすなわち端板部16と略平行に保持される。
【００２４】
次いで、図１に示すように、カバー12の内側に内側支持片74を侵入させつつ、袋などに入れたカバー12を器具本体11に被せるように組み合わせるとともに、これら器具本体11、カバー12、及び両端の緩衝体31の外周に巻き付けるようにして、外側包装体32を折り曲げて配置し、外側包装体32同士及び外側包装体32と緩衝体31とを粘着テープなどて接合してとめる。すると、図３に示すように、当接部73が基板部15上に当接して内側支持部37は安定した状態となり、器具本体11すなわちカバー12の両端部において、器具本体11とカバー12との間、ここでは器具本体11の基板部15及び端板部16とカバー12の端部縁部12b及び端部脚片部12dとの間に、緩衝体31の乗越片72が位置するとともに、器具本体11のランプソケット取付金具21とカバー12の端部縁部12b及び端部脚片部12dとの間に、緩衝体31の内側支持部37が位置し、器具本体11とカバー12との直接の接触が防止される。また、この状態で、内側支持部37の内側支持片74の先端部74aは、カバー12のカバー本体部12aの天面12fの内側に当接しないように設定されている。
【００２５】
そして、この状態で、緩衝体31の端部保護部35及び乗越片72により、器具本体11及びカバー12が長手方向に対して位置決めして保持される。また、緩衝体31の両側の側部押え部36により、器具本体11の幅方向が外側から緩衝体31及び外側包装体32に対して位置決め固定されるとともに、乗越片72及び内側支持片74が側板部17の内面に対向し、すなわち当接するか僅かな間隔を介して離間し、器具本体11の幅方向が内側から位置決め固定される。さらに、この状態で、緩衝体31の内側支持片74の両側の縁部である対向部75がカバー12の内側の側部脚片部12eの内面に対向し、すなわち当接するか僅かな間隔を介して離間し、カバー12の幅方向が緩衝体31すなわち器具本体11に対して位置決め固定される。
【００２６】
このように、本実施の形態によれば、照明器具10の器具本体11とカバー12とを重ねて一緒に収納する包装装置30について、簡略な構造の緩衝体31と外側包装体32とにより、器具本体11とカバー12とを保護した状態で包装でき、カバー12などを支持する別個の部材も不要となり、部品点数の削減など構成を簡略化でき、包装装置の製造に要するコスト、組立工数の削減による包装作業に要するコスト、及び、廃材量の低減よる包装装置の使用後の現場での廃棄に要するコストなどのコストを容易に低減できる。
【００２７】
すなわち、緩衝体31と外側包装体32とはいずれも１枚の段ボール紙31a，32aを折曲して形成でき、構造が簡略で、製造コストを低減できる。すなわち、緩衝体31は、筒状に形成した端部保護部35から一対の側部押え部36と内側支持部37とを一体に延設して形成できる。さらに、緩衝体31は、切り欠きである第２の切込線52を所定の幅寸法Ｌで形成することにより、器具本体11の側板部17を挟持する部分とカバー12の内側に当接して位置決めする対向部75とを同時に形成できる。また、外側包装体32は巻板であり矩形の段ボール紙32aを折曲するのみで容易に形成できる。
【００２８】
そして、緩衝体31は、端部保護部35と内側支持部37の乗越片72により、器具本体11の長手方向すなわち端板部16を支持できるとともに、一対の側部押え部36により幅方向すなわち両側の側板部17を外側から挟持するようにして支持できる。さらに、各側板部17について、それぞれ側部押え部36と内側支持部37とで挟持するようにして、器具本体11を確実に位置決めして保持できる。
【００２９】
また、緩衝体31は、内側支持部37の乗越片72と内側支持片74との間にカバー12の端部脚片部12dを挟むようにして、カバー12を長手方向に移動しないように位置決めして保持できる。さらに、緩衝体31は、内側支持部37の内側支持片74の両側端の対向部75をカバー12の側部脚片部12eの内面に対向させ、カバー12を幅方向に移動しないように位置決めして保持できる。
【００３０】
さらに、緩衝体31の内側支持部37が器具本体11とカバー12との間に位置し、器具本体11とカバー12との直接の接触を防止する。このようにして、器具本体11とカバー12とを重ねて包装した状態の包装装置30に外部から力が加わった場合にも、器具本体11に対してカバー12が移動しにくく、器具本体11とカバー12との接触によるカバー12の破損を防止しつつ安定して支持し、保護した状態で照明器具10を包装できる。
【００３１】
また、カバー12の内側に配置される内側支持片74は、基端部の当接部73を照明器具11の基板部15に当接し力の吸収が可能であるとともに、復帰変形しないように、ランプソケット部23で支えられ、対向部75を所定の位置に安定して配置できる。また、内側支持片74を支えるために、照明器具10の器具本体11に端板部16近接して設けられた凸部を用い、本実施の形態では、凸部として照明器具10の器具本体11には通常必ず備えられているランプソケット部23を用いるため、内側支持片74を支えるための別個の構造が不要になり、構造を簡略化して製造コストを低減できる。
【００３２】
さらに、内側支持部37の内側支持片74の先端部74aは、カバー12のカバー本体部12aの天面12fの内側に当接しないように設定されているため、器具本体11及びカバー12を収納した包装装置30に衝撃が加わった際に、カバー12の天面12fと緩衝体31の内側支持部37とが不用意に接触せず、カバー12の一部分に負荷が集中して加わることを防止し、カバー12を保護することができる。
【００３３】
なお、上記の実施の形態では、外側包装体32は、１枚の段ボール紙32aである巻板としたが、この構成に限られず、例えば箱本体とこの箱本体に組み合わされる蓋体とを備えた構成とすることもできる。
【００３４】
また、緩衝体31と外側包装体32とは別体としたが、１枚の段ボール紙で一体に形成することもできる。
【００３５】
さらに、緩衝体31と外側包装体32とは、段ボール紙に限られず、厚紙や樹脂製の板材などで形成することもできる。
【００３６】
また、ランプソケット部23は、１個のランプソケット取付金具21に２個のランプソケット22を取り付けた上記の構成に限られず、各ランプソケット22にそれぞれ別個のランプソケット取付金具を設けることもできる。また、ランプソケット22は、２対の他、１対あるいは３対以上とすることもできる。
【００３７】
さらに、内側支持片74を支える凸部としては、ランプソケット部23の他、器具本体11の基板部15から突設された適宜の構成を利用することができる。
【００３８】
また、照明器具10のカバー12については、器具本体11の正面側の全面を覆うものに限られず、開口部を設けた構成や、ルーバなどを備えた構成とすることもできる。
【産業上の利用可能性】
【００３９】
本発明は、器具本体とこの器具本体に取り付けられるカバーとを備えた照明器具の包装装置として用いることができる。
【図面の簡単な説明】
【００４０】
【図１】本発明の包装装置の一実施の形態を示す一部の説明図である。
【図２】同上包装装置及び照明器具の分解状態の斜視図である。
【図３】同上包装装置及び照明器具の包装状態の一部の断面図である。
【図４】同上包装装置の緩衝体の展開図である。
【図５】同上包装装置の外側包装体の展開図である。
【符号の説明】
【００４１】
10    照明器具
11    器具本体
12    カバー
15    基板部
16    端板部
17    側板部
23    支持部としてのランプソケット部
30    包装装置
31    緩衝体
32    外側包装体
35    端部保護部
36    側部押え部
37    内側支持部
72    乗越片
73    当接部
74    内側支持片
75    対向部
【図１】
2006143292.tif 000003
【図２】
2006143292.tif 000004
【図３】
2006143292.tif 000005
【図４】
2006143292.tif 000006
【図５】
2006143292.tif 000007